(57)【特許請求の範囲】
【請求項１】
前身頃と後身頃の裏面同士を重ね合わせて平面状にした際に外縁となる部分の全部又は一部に、外側又は内側に摘み上げるようにして縫い合わせたステッチ部を形成してあり、前身頃又は後身頃に、略矩形状の板部を取付けてある折り畳みバッグ。
【請求項２】
横マチ部と前身頃との稜部、持ち手部の外縁及び横マチ部と後身頃との稜部に、外側又は内側に摘み上げるように連続して縫い合わせたステッチ部を形成し、底マチ部の中央付近に、外側又は内側に摘み上げるようにバッグの幅方向に縫い合わせたステッチ部を形成してあり、前身頃又は後身頃の下方中間付近に、略矩形状の板部を取付けてある手提げ鞄型の折り畳みバッグ。
【発明の詳細な説明】
【技術分野】
【０００１】
本発明は、折り畳み容易な折り畳みバッグに関する。
【背景技術】
【０００２】
折り畳みバッグは、内部にものを収納しないときは折り畳み、大きさを小さくしておき、持ち運びしやすくしたものである。
このような折り畳みバッグとしては、例えば、小袋部を有するフラップを設け、この小袋部内に手提げ袋を収納することができるようにしたもの（下記特許文献１参照）や、高さ方向に沿って折り畳み、保持片で保持できるようにしたバッグ（下記特許文献２参照）などがある。
【０００３】
【特許文献１】特開２００２―１０８１７号公報
【特許文献２】実用新案登録第３１１７３０４号公報
【発明の開示】
【発明が解決しようとする課題】
【０００４】
従来の折り畳みバッグは、折り畳む際、生地の元の形状に戻ろうとする弾力により、膨らみやすく、所望した折り畳み形状よりも大きくなってしまうことがあり、小さく折り畳めるという利便性を損なってしまうことがあった。また、例えば、上記特許文献１に記載の手提げ袋などのように、最後に小袋部などに納める場合は、袋に入らなくなるため、再度折り畳みし直さなければならなかった。
【０００５】
そこで、本発明の目的は、簡単に所望の形状に折り畳むことができる折り畳みバッグを提供することにある。
【課題を解決するための手段】
【０００６】
本発明の折り畳みバッグは、前身頃と後身頃の裏面同士を重ね合わせて平面状にした際に外縁となる部分の全部又は一部に、外側又は内側に摘み上げるように縫い合わせたステッチ部を形成してあることを特徴とする。
【０００７】
このように外縁となる部分に、ステッチ部を形成したことにより、折り畳む際、生地の弾力により膨らまず、平面状になりやすくなり、簡単に所望の形状に折り畳むことができる。
【０００８】
上記折り畳みバッグは、折り畳みする際に折り目となる部分に、外側又は内側に摘み上げるように縫い合わせたステッチ部を形成することができる。
【０００９】
このように折り目となる部分を、ステッチ部とすることにより、折り目の部分が折り曲げやすくなる。
【００１０】
また、上記折り畳みバッグは、前身頃又は後身頃に、略矩形状の板部を取付けることができる。
【００１１】
このように板部を取り付けることにより、バッグを平面状にした後、この板部に合わせて折り畳んでいくことにより、容易に所望の形状に折り畳むことができる。
【００１２】
より具体的には、上記折り畳みバッグは、手提げ鞄型にすることができ、横マチ部と前身頃との稜部及び横マチ部と後身頃との稜部に、外側又は内側に摘み上げるように縫い合わせたステッチ部を形成し、底マチ部の中央付近に、外側又は内側に摘み上げるようにバッグの幅方向に縫い合わせたステッチ部を形成してあるものとすることができる。
【００１３】
また、横マチ部と前身頃との稜部、持ち手部の外縁及び横マチ部と後身頃との稜部に、外側又は内側に摘み上げるように連続して縫い合わせたステッチ部を形成し、底マチ部の中央付近に、外側又は内側に摘み上げるようにバッグの幅方向に縫い合わせたステッチ部を形成してあり、前身頃又は後身頃の下方中間付近に、略矩形状の板部を取付けてある手提げ鞄型の折り畳みバッグとすることや、前身頃又は後身頃の中央付近に略矩形状のポケット部を設けてあり、横マチ部と前身頃との稜部及び横マチ部と後身頃との稜部に、外側又は内側に摘み上げるように縫い合わせたステッチ部を形成し、底マチ部の中央付近に、外側又は内側に摘み上げるようにバッグの幅方向に縫い合わせたステッチ部を形成し、前記ポケット部の下側に、前記ポケット部の幅と略同じ幅で並行に外側又は内側に摘み上げるように縫い合わせたステッチ部を形成してある手提げ鞄型の折り畳みバッグとすることや、前身頃及び後身頃にバッグと略同じ幅のポケット部を設けてあり、横マチ部と前身頃との稜部及び横マチ部と後身頃との稜部に、外側又は内側に摘み上げるように縫い合わせたステッチ部を形成し、底マチ部の中央付近に、外側又は内側に摘み上げるようにバッグの幅方向に縫い合わせたステッチ部を形成し、前記ポケット部と前身頃及び前記ポケット部と後身頃の継ぎ目付近に、外側又は内側に摘み上げるように周方向に縫い合わせたステッチ部を形成してある手提げ鞄型の折り畳みバッグとすることもできる。
【発明を実施するための最良の形態】
【００１４】
以下、本発明を、実施形態に基づいて説明する。
【００１５】
まず、第一実施形態の折り畳みバッグ１について説明する。
本発明の第一実施形態の折り畳みバッグ１は、図１（ａ），（ｂ）に示すように、ナイロンなどからなる手提げ鞄型としてあり、例えば、以下のように、製造することができる。
生地を、図２に示すような形状に切り取り、前身頃２となる部分の裏面側に略矩形状の板部３を、前身頃２の下方中間付近となる位置に縫い合わせる。この板部３は、厚さ約０．３ｍｍのプラスチック製透明板などを用いることができる。
【００１６】
点線Ａと点線Ａ´の部分を表面が接面するように縫い合わせ、持ち手部４を形成する。点線Ｂと点線Ｂ´の部分を表面が接面するように縫い合わせ、横マチ部５を形成する。点線Ｃと点線Ｃ´及び点線Ｄと点線Ｄ´の部分を表面が接面するように縫い合わせ、横マチ部５と底マチ部６との稜線となる部分を形成する。
次に、持ち手部４となる部分の外側部位を内側に折り返し、幅が略半分となるようにする。
そして、実線Ｅが頂点となるように外側に摘み上げて裏面同士を合わせて点線Ｆと点線Ｆ´の部分を縫い合わせ、図３に示すようなステッチ部７をそれぞれ形成する。底マチ部６の中央付近を、実線Ｇが頂点となるように外側に摘み上げて裏面同士を合わせて点線Ｈと点線Ｈ´とを縫い合わせ、図１（ｂ）に示すように、バッグの幅方向に適宜長さのステッチ部８を形成する。ステッチ部７，８の高さ（実線Ｅと点線Ｆ又はＦ´、実線Ｇと点線Ｈ又はＨ´の間隔）は、約３ｍｍとするのがよい。
このようにして折り畳みバッグ１を製造することができ、これは、横マチ部５と前身頃２との稜部、持ち手部４の外縁及び横マチ部５と後身頃９との稜部に、外側に若干摘み上げるように裏面同士を合わせて連続して縫い合わせてステッチ部７を形成し、底マチ部６の中央付近に、外側に若干摘み上げるように裏面同士を合わせてバッグの幅方向に縫い合わせてステッチ部８を形成してあり、前身頃２の下方中間付近に略矩形状の板部３を取付けてあるものである。
【００１７】
この折り畳みバッグ１を折り畳むときは、まず、図４（ａ）に示すように、横マチ部５を内側に折り込み、底マチ部６を外側に突出させ、前身頃２と後身頃９との裏面を合わせて平面状にする。次に、図４（ｂ），（ｃ）に示すように、板部３の側端辺に沿う高さ方向を折り目として、上方に折り重ね、三つ折りとする。そして、図４（ｄ）に示すように、底マチ部６側から板部３の下端辺を折り目として上方に折り重ね、次に板部３の上端辺を折り目として上方に折り重ね、図４（ｅ）に示すように、順次上方に折り重ねていく。このようにして、図４（ｆ）に示すように、板部３と略同一平面形状に折り畳むことができる。
【００１８】
折り畳みバッグ１は、ステッチ部７，８を形成したことにより、折り畳む際、生地の弾力により膨らまず、平面状となり、折り畳みやすくなる。また、板部３を設けたことにより、これに合わせて折り畳んでいくことにより、所望の折り畳み形状にすることができるものである。
【００１９】
次に、第二実施形態の折り畳みバッグ１ａについて説明する。
本発明の第二実施形態の折り畳みバッグ１ａは、図５（ａ），（ｂ）に示すように、ナイロンなどからなる手提げ鞄型としてあり、上記第一実施形態とは、後身頃９ａにポケット部１０ａとかぶせ部１１ａを設け、ポケット部１０ａの下方にステッチ部１２ａを設けてある点で主に相違するものである。
以下、第一実施形態と相違する箇所を主に説明する。
ポケット部１０ａ及びかぶせ部１１ａは、縦長の略長方形状に裁断した生地の下半分の周囲を、後身頃９ａの表面側にあてがい、線ファスナー１３ａを挟み込みつつ縫い合わせ、ポケット部１０ａとかぶせ部１１ａとを形成してある。ポケット部１０ａとかぶせ部１１ａの周囲には、線ファスナー１３ａが縫い合わせてあり、折り畳んだ際、ポケット部１０ａ側の務歯とかぶせ部１１ａ側の務歯とが噛み合い閉じることができるようにしてある。
板部３ａは、前身頃２ａの裏面側に縫い付けてあり、ポケット部１１ａと略同じ幅とした矩形状としてある。板部３ａは、前身頃２ａと後身頃９ａとの裏面同士を重ね合わせた際に、板部３ａの上端辺がポケット部１０ａの下端辺と略同じ位置となるようにしてある。この板部３ａは、厚さ約０．３ｍｍのプラスチック製透明板などを用いることができる。
ステッチ部１２ａは、後身頃９ａの表面を外側に摘み上げて裏面同士を合わせて縫い合わせて形成してあり、ポケット部１０ａと略同じ幅で並行して設けてある。ステッチ部１２ａの高さは、約３ｍｍとするのがよい。
【００２０】
この折り畳みバッグ１ａは、横マチ部５ａと前身頃２ａの稜部及び横マチ部５と後身頃９ａの稜部に、外側に若干摘み上げるように裏面同士を合わせて縫い合わせたステッチ部７ａを形成し、底マチ部６ａの中央付近に、外側に若干摘み上げるように裏面同士を合わせてバッグの幅方向に縫い合わせてステッチ部８ａを形成してあり、後身頃９ａのポケット部１０ａの下側にポケット部１０ａの幅と略同じ幅で並行に外側に若干摘み上げるように裏面同士を合わせて縫い合わせたステッチ部１２ａを形成してあり、前身頃２ａの下方中間付近に略矩形状の板部３を取付けてあるものである。
【００２１】
この折り畳みバッグ１ａを折り畳むときは、まず、図６（ａ）に示すように、かぶせ部１１ａの先端を上方に向け、横マチ部５ａを内側に折り込み、底マチ部６ａを外側に突出させ、前身頃２ａと後身頃９ａとの裏面を合わせて平面状にする。図６（ｂ）に示すように、板部３ａの側端辺に沿う高さ方向を折り目として、上方に折り重ね、三つ折りとする。底マチ部６ａ側を、板部３ａの下端辺を折り目として上方に折り重ね、次に、持ち手部４ａ側を、板部３ａの上端辺を折り目として持ち手部４ａを折り込みつつ上方に折り重ね、図６（ｃ）に示すように、折り重ねる。最後に、図６（ｄ）に示すように、ポケット部１０ａとかぶせ部１１ａとを折り重ねて、線ファスナー１３ａを閉めることにより、折り畳むことができる。
【００２２】
折り畳みバッグ１ａは、ステッチ部１２ａを形成したことにより、この部分が折り目となるため、折り畳みやすくなり、ポケット部１０ａとかぶせ部１１ａとで作られた空間内にはみ出すことなく納めることができるものである。
【００２３】
次に、第三実施形態の折り畳みバッグ１ｂについて説明する。
本発明の第三実施形態の折り畳みバッグ１ｂは、図７に示すように、ナイロンなどからなる手提げ鞄型としてあり、上記第一実施形態とは、前身頃２ｂに２つのポケット部１０ｂを設けてある点で主に相違するものである。
以下、第一実施形態と相違する箇所を主に説明する。
ポケット部１０ｂは、前身頃２ｂの表面側に２つ横に並べて設けてあり、前身頃２ｂとポケット部１０ｂとの間に線ファスナー１３ｂを挟み込みつつ縫い合わせてあり、折り畳んだ際、右側のポケット部１０ｂの務歯と左側のポケット部１０ｂの務歯とが噛み合い、閉じることができるようにしてある。
【００２４】
この折り畳みバッグ１ｂは、横マチ部５ｂと前身頃２ｂ又は後身頃９Ｂとの稜部に、外側に若干摘み上げるように裏面同士を合わせて縫い合わせたステッチ部７ｂを形成し、底マチ部６ｂの中央付近に、外側に若干摘み上げるように裏面同士を合わせてバッグの幅方向に縫い合わせたステッチ部８ｂを形成してあるものである。
【００２５】
この折り畳みバッグ１ｂを折り畳むときは、まず、図８（ａ）に示すように、横マチ部５ｂを内側に折り込み、底マチ部６ｂを外側に突出させ、前身頃２ｂと後身頃９ｂとの裏面を合わせて平面状にする。次に、図８（ｂ）に示すように、底マチ部６ｂ側を、ポケット部１０ｂの下端辺を折り目として後身頃９ｂ側に折り重ね、続いて、図８（ｃ）に示すように、持ち手部４ｂ側を、ポケット部１０ｂの上端辺を折り目として、持ち手部４ａを折り込みつつ、折り重ねる。そして、図８（ｄ）に示すように、左右のポケット部１０ｂを折り重ねて、線ファスナー１３ｂを閉めることにより、折り畳むことができる。
【００２６】
折り畳みバッグ１ｂは、両ポケット部１０ｂで形成した空間内にはみ出すことなく納めることができるものである。
【００２７】
次に、第四実施形態の折り畳みバッグ１ｃについて説明する。
本発明の第四実施形態の折り畳みバッグ１ｃは、図９（ａ）に示すように、ナイロンなどからなる手提げ鞄型としてあり、上記第一実施形態とは、前身頃２ｃ及び後身頃９ｃにそれぞれポケット部１０ｃを設けてあり、ポケット部１０ｃと前身頃２ｃ又は後身頃９ｃの継ぎ目に、ステッチ部１２ｃを形成してあり、底マチ部６ｃに形成したステッチ部８ｃが内側に摘み上げるようにして形成してある点で主に相違するものである。
以下、第一実施形態と相違する箇所を主に説明する。
ポケット部１０ｃは、前身頃２ｃ及び後身頃９ｃの表面側に対称に設けてあり、バッグの幅と略同じ幅に形成してある。前身頃２ｃ又は後身頃９ｃとポケット部１０ｃとの間には、線ファスナー１３ｃが縫い込まれており、折り畳んだ際、前身頃２ｃ側の務歯と後身頃９ｃ側の務歯とが噛み合い、閉じることができるようにしてある。
【００２８】
ステッチ部１２ｃは、図９（ｂ）に示すように、ポケット部１０ｃと前身頃２ｃ又は後身頃９ｃの継ぎ目付近を外側に摘み上げて裏面同士を合わせて縫い合わせてあり、ポケット部１０ｃの周囲に形成してある。ステッチ部１２ｃの高さは、約３ｍｍとするのがよい。
ステッチ部８ｃは、図９（ｃ）に示すように、底マチ部６ｃの中央付近に、バッグの内面側を内側に摘み上げて表面同士を合わせて縫い合わせてあり、バッグの幅方向に適宜長さに形成してある。
この折り畳みバッグ１ｃは、前身頃２ｃ及び後身頃９ｃにバッグと略同じ幅のポケット部１０ｃを設けてあり、横マチ部５ｃと前身頃２ｃの稜部及び横マチ部５ｃと後身頃９ｃの稜部に、外側に若干摘み上げるように裏面同士を合わせて縫い合わせたステッチ部７ｃを形成し、底マチ部６ｃの中央付近に、内側に若干摘み上げるように裏面同士を合わせてバッグの幅方向に縫い合わせたステッチ部８ｃを形成してあり、ポケット部１０ｃと前身頃２ｃ又は後身頃９ｃの継ぎ目付近に、外側に若干摘み上げるように裏面同士を合わせて縫い合わせたステッチ部１２ｃをポケット部１０ｃの周囲に形成してあるものである。
【００２９】
この折り畳みバッグ１ｃを折り畳むときは、まず、図１０（ａ）に示すように、持ち手部４ｃ側を、バッグ１ｃ内に押し込み、次に、横マチ部５ｃ及び底マチ部６ｃを内側に折り込み、図１０（ｂ）に示すように、ポケット部１０ｃを合わせ、線ファスナー１３ｃを閉めることにより、折り畳むことができる。
【００３０】
折り畳みバッグ１ｃは、両ポケット部１０ｃの周囲にステッチ部１２ｃを形成したことにより、両ポケット部１０ｃ間に前身頃２ｃなど他の部位が折り込みやすくなり、容易に折り畳むことができるものである。
【００３１】
上記実施形態の構成態様は、本発明を限定するものとして挙げたものではなく、技術目的を共通にするかぎり変更は可能であり、本発明はそのような変更を含むものであり、例えば、外側に突出するステッチ部を、内側に突出するように形成することや、その反対に、内側に突出するステッチ部を、外側に突出するように形成することができる。
【図面の簡単な説明】
【００３２】
【図１】本発明の第一実施形態の折り畳みバッグを示し、（ａ）は斜視図、（ｂ）は底マチ部側からの斜視図である。
【図２】第一実施形態の折り畳みバッグを作成するための生地の形状を表した図である。
【図３】第一実施形態の折り畳みバッグの横マチ部側を拡大した横断面図である。
【図４】第一実施形態の折り畳みバッグの折り畳み手順を示した図である。
【図５】本発明の第二実施形態の折り畳みバッグを示し、（ａ）は斜視図、（ｂ）は後身頃側からの斜視図である。
【図６】第二実施形態の折り畳みバッグの折り畳み手順を示した図である。
【図７】本発明の第三実施形態の折り畳みバッグを示した斜視図ある。
【図８】第三実施形態の折り畳みバッグの折り畳み手順を示した図である。
【図９】本発明の第四実施形態の折り畳みバッグを示し、（ａ）は斜視図、（ｂ）はポケット部付近の拡大斜視図、（ｃ）は底マチ部を示した参考斜視図である。
【図１０】第四実施形態の折り畳みバッグの折り畳み手順を示した図である。
【符号の説明】
【００３３】
１折り畳みバッグ  ２前身頃  ３板部  ４持ち手部  ５横マチ部  ６底マチ部  ７ステッチ部  ８ステッチ部  ９後身頃
１ａ折り畳みバッグ  ２ａ前身頃  ３ａ板部  ４ａ持ち手部  ５ａ横マチ部  ６ａ底マチ部  ７ａステッチ部  ８ａステッチ部  ９ａ後身頃  １０ａポケット部  １１ａかぶせ部  １２ａステッチ部  １３ａ線ファスナー
１ｂ折り畳みバッグ  ２ｂ前身頃  ４ｂ持ち手部  ５ｂ横マチ部  ６ｂ底マチ部  ７ｂステッチ部  ８ｂステッチ部  ９ｂ後身頃  １０ｂポケット部  １３ｂ線ファスナー
１ｃ折り畳みバッグ  ２ｃ前身頃  ４ｃ持ち手部  ５ｃ横マチ部  ６ｃ底マチ部  ７ｃステッチ部  ８ｃステッチ部  ９ｃ後身頃  １０ｃポケット部  １２ｃステッチ部  １３ｃ線ファスナー
【要約】
【課題】所望の形状に折り畳むことができる折り畳みバッグを提供する。
【解決手段】本発明の折り畳みバッグ１は、手提げ鞄型としてあり、横マチ部５と前身頃２との稜部、持ち手部４の外縁及び横マチ部５と後身頃９との稜部に、外側又は内側に摘み上げるように連続して縫い合わせたステッチ部７を形成し、底マチ部６の中央付近に、外側又は内側に摘み上げるようにバッグの幅方向に縫い合わせてステッチ部８を形成してあり、前身頃２又は後身頃９の下方中間付近に略矩形状の板部３を取付けてあることを特徴とする。
【選択図】図１【図１】
0004129046.tif 000002
【図２】
0004129046.tif 000003
【図３】
0004129046.tif 000004
【図４】
0004129046.tif 000005
【図５】
0004129046.tif 000006
【図６】
0004129046.tif 000007
【図７】
0004129046.tif 000008
【図８】
0004129046.tif 000009
【図９】
0004129046.tif 000010
【図１０】
0004129046.tif 000011